(57)【要約】【課題】  綴じパイプ（被綴じシート群の孔）に綴じ紐を簡単に通すことのできる綴じ具を提供する。【解決手段】  綴じ具（１）を、支持板部（５）から起立する綴じパイプ（７，７）各々に、綴じ板部（９）に基端を固定した綴じ軸（１１，１１）を差し込んだ状態で保持可能に構成する。綴じパイプの一方先端から支持板部を抜けて綴じパイプの他方先端に至る綴じ紐を解放するための略Ｕ字状のスリット（１３）を形成し、支持板部に綴じパイプ各々の中空部と連通する貫通孔（６，６）を形成する。貫通孔各々から差し込んだ綴じ紐先端部（３６，３６）を綴じ軸各々の先端に設けた連結構造（１２，１２）によって連結し、綴じ軸を抜き出すことによって綴じパイプ各々から綴じ紐先端部を引き出せるように構成する。連結構造とスリットの働きによって、綴じ紐を被綴じシート群の孔に簡単に通すことができる。【選択図】    図１
2006051802.tif 000002
【特許請求の範囲】
【請求項１】
被綴じシートを貫通する一対の綴じ孔に差し込み抜き取り可能な一対の綴じパイプと、
当該綴じパイプ各々の基端を表面側に固定した支持板部と、
当該綴じパイプ各々の先端から差し込み抜き取り可能な一対の綴じ軸と、
当該綴じ軸各々の基端を固定した綴じ板部と、
当該綴じ軸各々を当該綴じパイプ各々に差し込んだ状態で当該綴じ板部を当該綴じパイプ各々の先端上に保持するための保持構造と、を含み、
当該支持板部には、当該綴じパイプ各々の中空部と連通する一対の貫通孔を形成してあり、
当該綴じパイプの一方先端から当該支持板部を抜けて当該綴じパイプの他方先端に至る綴じ紐を解放するための略Ｕ字状のスリットを形成してあり、
当該綴じ軸各々の自由端部と、当該貫通孔各々を介して当該綴じパイプ各々の中空部内に当該支持板部の裏面側から差し込む綴じ紐先端部各々と、の間には、当該綴じ軸各々の自由端部と綴じ紐先端部各々とを取り外し可能に連結するための一対の連結構造を設けてあり、
当該連結構造各々が、綴じ紐先端部各々を連結した状態の当該綴じ軸各々を当該綴じパイプ各々上端から抜き出すことにより当該綴じパイプ各々上端から引き出し可能に構成してある
ことを特徴とする綴じ具。
【請求項２】
前記保持構造が、対向する一方の辺部と他方の辺部とを有する略矩形のベース板部と、当該一方の辺部に前記支持板部を着脱自在に取り付けるための一方の着脱構造と、当該他方の辺部に前記綴じ板部を着脱自在に取り付けるための他方の着脱構造と、を含むものである
ことを特徴とする請求項１記載の綴じ具。
【請求項３】
対向する一方の辺部と他方の辺部とを有する略矩形のベース板部と、
当該一方の辺部から起立する固定板部と、
当該他方の辺部に回動構造を介して取り付けた支持板部と、
基端が当該支持板部に固定され、先端が当該支持板部を回動によって当該固定板部と対向させたときに当該固定板部方向に突出する一対の綴じパイプと、
当該綴じパイプ各々に対して取り付け取り外し自在に構成した綴じ部材と、
当該綴じ部材を取り付けた状態、かつ、当該支持板部と当該固定板部とを対向させた状態において、当該綴じ部材と当該固定板部とをロック可能なロック構造と、を含み、
当該綴じ部材が、取り付けの際に当該綴じパイプ各々上端から中空部各々に差し込み可能かつ取り外しの際に抜き出し可能な一対の綴じ軸と、当該綴じ軸各々の基端を固定した綴じ板部と、を含み、
当該支持板部には、当該綴じパイプ各々の中空部と連通する一対の貫通孔を形成してあり、
当該綴じパイプの一方先端から当該支持板部を抜けて当該綴じパイプの他方先端に至る綴じ紐を解放するための略Ｕ字状のスリットを形成してあり、
当該綴じ軸各々の自由端部と当該貫通孔各々を介して当該綴じパイプ各々の中空部内に差し込む綴じ紐先端部各々との間には、両者を取り外し可能に連結するための一対の連結構造を設けてあり、
当該連結構造各々が、綴じ紐先端部各々を連結した状態の当該綴じ軸各々を当該綴じパイプ各々から抜き出すことにより綴じ紐先端部各々が当該綴じパイプ各々上端から引き出し可能に構成してある
ことを特徴とする綴じ具。
【請求項４】
前記連結構造各々が、前記綴じ軸先端部に固定したパイプ状部材又はコイルバネと、前記綴じ紐先端部各々に形成された紐先硬化部と、を含み、
当該パイプ状部材又はコイルバネの外径が前記綴じパイプ各々の中空部内を通過可能な寸法に、かつ、内径が当該紐先硬化部を受入保持可能な寸法に、それぞれ設定してある
ことを特徴とする請求項１乃至３何れか記載の綴じ具。
【請求項５】
請求項２乃至４何れか記載のベース板部を、固定構造を介して固定した背表紙部と、
当該背表紙部を挟む両側にあり前記綴じ具を挟むように開閉する一対の表紙部と、を含むファイル。
【発明の詳細な説明】
【技術分野】
【０００１】
本発明は、書類、伝票、パンフレット等の被綴じシートを綴じて保管、使用等するための綴じ具及びそのような綴じ具を備えたファイルに関するものである。
【背景技術】
【０００２】
これまで知られている綴じ具として、たとえば、特許文献１に記載されたものがある。図８において符号１０１で示す綴じ具（以下、「従来の綴じ具」という）は、略矩形のベース板部１０２と、当該ベース板部１０２の一方の辺部から起立する固定板部１０３と、当該ベース板部１０２の他方の辺部に回動自在に取り付けられた支持板部１０４と、を有している。支持板部１０４には、固定板部１０３と対向させたときに固定板部１０３方向に突出する一対の綴じパイプ１０５，１０５の基端が固定され、両綴じパイプ１０５は、これらに取り付けた綴じ部材１０６を介して当該固定板部１０３にロック可能に構成されている。当該綴じ部材１０６は、取り付けの際に当該綴じパイプ１０５，１０５の上端から中空部に差し込み可能かつ取り外しの際に抜き出し可能な一対の綴じ軸１０７，１０７と、当該一対の綴じ軸１０７，１０７の各基端を固定した綴じ板部１０８と、から構成され、当該支持板部１０４には、当該各綴じパイプ１０５，１０５の中空部と連通する貫通孔１０９，１０９が形成されている。さらに、当該綴じパイプ１０５の一方先端から当該支持板部１０４を抜けて当該綴じパイプ１０５の他方先端に至る綴じ紐を解放するための略Ｕ字状のスリット１１０が形成されている。綴じ具１０１は、たとえば、図８に示すようなファイル１１５に取り付けて使用できるように構成されている。符号１１７は、綴じ具１０１に綴じられた被綴じシート群を示している。
【特許文献１】特開平９−１５６２７７（段落００１３、図１乃至４参照）
【０００３】
従来の綴じ具には、綴じ込んだ被綴じシート群が厚くなりそれ以上の綴じ込みができない場合や、理由があって別の箇所で綴じ込む必要がある場合等に、綴じ込んであった被綴じシート群を取り外して綴じ紐で綴じ込もうとするときに便利となるような試みがなされている。すなわち、従来の綴じ具が提供される以前における取り外しは、綴じ部材が有する一対の綴じ軸を被綴じシート群の綴じ孔に差し込んだまま行い、次いで、被綴じシート群から両綴じ軸を抜き取ることにより行うが、この抜き取り後の被綴じシート群はただ重ね合わされているだけである。重ね合わされているだけの被綴じシート群は、互いにずれ易く、ずれによって綴じ孔がふさがれてしまうことが多い。ずれを起こさせないようにするために、又は、ずれたものを元に戻すために、一方の綴じ孔に細い棒等を通して他方の綴じ孔に綴じ紐を通す等の工夫が必要であるが、それは、とても面倒である。この点、上述した従来の綴じ具は、一方の貫通孔から一方の綴じパイプの中空部に綴じ紐の一方を差し込み、同様にして他方の貫通孔から他方の綴じパイプの中空部に綴じ紐の他方を差し込むように構成され、差し込んだ綴じ紐を略Ｕ字状のスリットを抜けて解放させることによって被綴じシート群を取り外さなくても綴じ紐を綴じ孔に通せるようになっている。
【発明の開示】
【発明が解決しようとする課題】
【０００４】
しかしながら、上述した従来の綴じ具には、次の問題があった。すなわち、綴じパイプの長さは、綴じ込もうとする被綴じシート群の厚さに比例して長くする必要があるが、現時点で市販されている綴じ具の綴じパイプは発明者の知る限りにおいて少なくとも３０ｍｍの長さがあり、長いものは１００ｍｍ前後に達するものもある。綴じ紐は、被綴じシート群の綴じ孔に通して結ぶことによって綴じを行うものである。この点は、言うまでもない。したがって、結べるように非常に柔軟な素材（布、紙等）によってできている。柔軟なため、綴じパイプ内を通すことが、とても難しい。紐通しし易いように、綴じ紐の両先端部を樹脂等によって固めて紐先硬化部を形成したものもあるが、この紐先硬化部の長さは一般に２５ｍｍ以下である。あまり長い紐先硬化部を形成すると、結ぶとき等に邪魔になってしまうので、２５ｍｍ程度が限度なのであろう。２５ｍｍ程度の長さしかない紐先硬化部では、３０ｍｍを超える綴じパイプの中空部を通すことは、何か特別な道具を使わない限り無理と言ってよい。これが、従来の綴じ具の問題点である。特許文献１は、綴じ紐の柔軟性に起因する紐通しの難しさに係る認識、および、その解決手段についての記載を含まない。
【０００５】
本発明が解決しようとする課題は、上述した従来の綴じ具の問題点を解決することにある。すなわち、綴じパイプ（被綴じシート群の孔）に綴じ紐を簡単に通すことのできる綴じ具及びそのような綴じ具を有するファイルを提供することにある。
【課題を解決するための手段】
【０００６】
上記課題を解決するために発明者は、綴じパイプの中に差し込む綴じ軸に着目した。綴じ軸を綴じパイプから引き抜くときに、併せて綴じ紐の両先端部を引き出すことができれば、課題を解決できると考えた。その詳しい内容については、項を改めて説明する。なお、何れかの請求項記載の発明の構成を説明するに当たって行う用語の定義等は、その性質上可能な範囲において他の請求項記載の発明にも適用があるものとする。
【０００７】
（請求項１記載の発明の特徴）
請求項１記載の発明に係る綴じ具（以下、適宜「請求項１の綴じ具」という）は、被綴じシートを貫通する一対の綴じ孔に差し込み抜き取り可能な一対の綴じパイプと、当該綴じパイプ各々の基端を表面側に固定した支持板部と、当該綴じパイプ各々の先端から差し込み抜き取り可能な一対の綴じ軸と、当該綴じ軸各々の基端を固定した綴じ板部と、当該綴じ軸各々を当該綴じパイプ各々に差し込んだ状態で当該綴じ板部を当該綴じパイプ各々の先端上に保持するための保持構造と、を含むものである。上記構造に加え、当該支持板部には、当該綴じパイプ各々の中空部と連通する一対の貫通孔を形成してあり、当該綴じパイプの一方先端から当該支持板部を抜けて当該綴じパイプの他方先端に至る綴じ紐を解放するための略Ｕ字状のスリットを形成してあり、当該綴じ軸各々の自由端部と、当該貫通孔各々を介して当該綴じパイプ各々の中空部内に当該支持板部の裏面側から差し込む綴じ紐先端部各々と、の間には、当該綴じ軸各々の自由端部と綴じ紐先端部各々とを取り外し可能に連結するための一対の連結構造を設けてある。さらに、当該連結構造各々が、綴じ紐先端部各々を連結した状態の当該綴じ軸各々を当該綴じパイプ各々上端から抜き出すことにより当該綴じパイプ各々上端から引き出し可能に構成してある。
【０００８】
請求項１の綴じ具によれば、一対の綴じパイプを被綴じシート（被綴じシート群）の綴じ孔に差し込み、綴じパイプ各々の中空部に綴じ軸各々を差し込むことによって、綴じパイプ各々の先端上に位置する綴じ板部と、綴じパイプ各々の基端を固定する支持板部と、の間に当該被綴じシート（被綴じシート群）が綴じられる。綴じ板部は、保持構造の働きにより、綴じパイプ各々の先端上に保持される。支持板部の裏面側から貫通孔各々を介して差し込まれた綴じ紐先端部各々は、綴じパイプ各々の中空部内において連結構造各々の働きにより連結される。連結された状態で綴じ軸各々を綴じパイプ各々から引き出せば、綴じ軸各々に連れられて綴じ紐先端部各々が綴じパイプ各々から引き出される。引き出された綴じ紐先端部各々を、さらに、引き出すことによって、綴じ紐先端部間の綴じ紐本体がスリットを抜けて解放される。スリットから解放された綴じ紐本体は被綴じシートの両綴じ孔間に掛かり、このとき、被綴じシートは綴じ紐によって吊り下げられた状態になる。この時点で、被綴じシートの綴じ具からの取り外しを完了する。あとは、綴じ紐先端部各々を摘んで結べば綴じ作業が完了する。綴じ軸各々の綴じパイプ各々からの引き出しは、綴じ板部を摘んで行うのが便利である。綴じ板部を摘んで引き上げることによって、綴じ軸先端に連結してあった綴じ紐先端部各々を綴じパイプ各々ひいては被綴じシートの綴じ孔各々に差し込むことができる。したがって、柔軟性のある綴じ紐であっても、綴じパイプ各々に差し込むことに難しさがない。簡単である。簡単であるから、綴じ具による綴じから綴じ紐による綴じへの移行がたいへん楽である。
【０００９】
（請求項２記載の発明の特徴）
請求項２記載の発明に係る綴じ具（以下、適宜「請求項２の綴じ具」という）は、請求項１の綴じ具の基本的構成に加え、前記保持構造が、対向する一方の辺部と他方の辺部とを有する略矩形のベース板部と、当該一方の辺部に前記支持板部を着脱自在に取り付けるための一方の着脱構造と、当該他方の辺部に前記綴じ板部を着脱自在に取り付けるための他方の着脱構造と、を含むものである
【００１０】
請求項２の綴じ具によれば、請求項１の綴じ具の作用効果に加え、一方の着脱構造及び他方の着脱構造の働きによって支持板部及び綴じ板部がベース板部に対して着脱自在となる。着脱自在となることにより、支持板部（両綴じパイプ）及び綴じ板部（両綴じ軸）をベース板部（保持構造）から被綴じシート群を綴じたまま取り外すことができる。取り外しにより自由になった状態であれば、そうでない状態に比べて綴じ紐通しの作業や綴じ紐を通した後の支持板部等の取り外し作業を行いやすくすることができる。
【００１１】
（請求項３記載の発明の特徴）
請求項３記載の発明に係る綴じ具（以下、適宜「請求項３の綴じ具」という）は、対向する一方の辺部と他方の辺部とを有する略矩形のベース板部と、当該一方の辺部から起立する固定板部と、当該他方の辺部に回動構造を介して取り付けた支持板部と、基端が当該支持板部に固定され、先端が当該支持板部を回動によって当該固定板部と対向させたときに当該固定板部方向に突出する一対の綴じパイプと、当該綴じパイプ各々に対して取り付け取り外し自在に構成した綴じ部材と、当該綴じ部材を取り付けた状態、かつ、当該支持板部と当該固定板部とを対向させた状態において、当該綴じ部材と当該固定板部とをロック可能なロック構造と、を含むものである。さらに、当該綴じ部材が、取り付けの際に当該綴じパイプ各々上端から中空部各々に差し込み可能かつ取り外しの際に抜き出し可能な一対の綴じ軸と、当該綴じ軸各々の基端を固定した綴じ板部と、を含む。上記構造に加え、当該支持板部には、当該綴じパイプ各々の中空部と連通する一対の貫通孔を形成してあり、当該綴じパイプの一方先端から当該支持板部を抜けて当該綴じパイプの他方先端に至る綴じ紐を解放するための略Ｕ字状のスリットを形成してあり、当該綴じ軸各々の自由端部と当該貫通孔各々を介して当該綴じパイプ各々の中空部内に差し込む綴じ紐先端部各々との間には、両者を取り外し可能に連結するための一対の連結構造を設けてある。さらに、当該連結構造各々が、綴じ紐先端部各々を連結した状態の当該綴じ軸各々を当該綴じパイプ各々から抜き出すことにより綴じ紐先端部各々が当該綴じパイプ各々上端から引き出し可能に構成してある。
【００１２】
請求項３の綴じ具によれば、一対の綴じパイプを被綴じシート（被綴じシート群）の綴じ孔に差し込み、綴じパイプ各々の中空部に綴じ軸各々を差し込むことによって、綴じパイプ各々の先端上に位置する綴じ板部（綴じ部材）と、綴じパイプ各々の基端を固定する支持板部と、の間に当該被綴じシート（被綴じシート群）が綴じられる。綴じ板部は、ロック構造の働きにより、綴じパイプ各々の先端上に保持される。支持板部の裏面側から貫通孔各々を介して差し込まれた綴じ紐先端部各々は、綴じパイプ各々の中空部内において連結構造各々の働きにより連結される。連結された状態で綴じ軸各々を綴じパイプ各々から引き出せば、綴じ軸各々に連れられて綴じ紐先端部各々が綴じパイプ各々から引き出される。引き出された綴じ紐先端部各々を、さらに、引き出すことによって、綴じ紐先端部間の綴じ紐本体がスリットを抜けて解放される。スリットから解放された綴じ紐本体は被綴じシートの両綴じ孔間に掛かり、このとき、被綴じシートは綴じ紐によって吊り下げられた状態になる。この時点で、被綴じシートの綴じ具からの取り外しを完了する。あとは、綴じ紐先端部各々を摘んで結べば綴じ作業が完了する。綴じ軸各々の綴じパイプ各々からの引き出しは、綴じ板部を摘んで行うのが便利である。綴じ板部を摘んで引き上げることによって、綴じ軸先端に連結してあった綴じ紐先端部各々を綴じパイプ各々ひいては被綴じシートの綴じ孔各々に差し込むことができる。したがって、柔軟性のある綴じ紐であっても、綴じパイプ各々に差し込むことに難しさがない。簡単である。簡単であるから、綴じ具による綴じから綴じ紐による綴じへの移行がたいへん楽である。
【００１３】
（請求項４記載の発明の特徴）
請求項４記載の発明に係る綴じ具（以下、適宜「請求項４の綴じ具」という）は、請求項１乃至３何れかの綴じ具であって、前記連結構造各々が、前記綴じ軸先端部に固定したパイプ状部材又はコイルバネと、前記綴じ紐先端部各々に形成された紐先硬化部と、を含むものである。上記構造に加え、当該パイプ状部材又はコイルバネの外径が前記綴じパイプ各々の中空部内を通過可能な寸法に、かつ、内径が当該紐先硬化部を受入保持可能な寸法に、それぞれ設定してある。
【００１４】
請求項４の綴じ具によれば、請求項１乃至３何れかの綴じ具の連結が、パイプ状部材又はコイルバネによって生じる。すなわち、パイプ状部材又はコイルバネの中空部に紐先硬化部が受入保持される。パイプ状部材又はコイルバネは、綴じパイプ各々の中空部内を通過可能な寸法に形成してあるので、その通過が紐先硬化部の移動と引き出しを許容する。
【００１５】
（請求項５記載の発明の特徴）
請求項５記載の発明に係るファイル（以下、適宜「請求項５のファイル」という）は、請求項２乃至４何れか記載のベース板部を、固定構造を介して固定した背表紙部と、当該背表紙部を挟む両側にあり前記綴じ具を挟むように開閉する一対の表紙部と、を含む。背表紙部や表紙部の大きさは綴じ具を取り付けて使用できる限り何ら制限はない。材質にも制限がない。背表紙部とベース板部を一体化させることもできる。
【発明の効果】
【００１６】
本発明に係る綴じ具（ファイル）によれば、綴じパイプ（被綴じシート群の孔）に綴じ紐を簡単に通すことができる。したがって、綴じ具（ファイル）による綴じから綴じ紐による綴じへの移行がたいへん楽である。
【発明を実施するための最良の形態】
【００１７】
各図に基づいて本発明に係る実施形態について説明する。図１は、綴じ具を備えるファイルの斜視図である。図２は、綴じ具の拡大斜視図である。図３は、着脱ユニットの斜視図である。図４は、スリットの縦断面を含む着脱ユニットの断面図である。図５は、図４に示す着脱ユニット断面の部分拡大図である。図６及び７は、綴じ具の変形例を示す斜視図である。
【００１８】
（綴じ具の全体構造と使用例）
図１に基づいて説明する。綴じ具１は、着脱ユニット３と、着脱ユニット３を着脱自在に保持するための保持ユニット１５と、から構成してある。着脱ユニット３と保持ユニット１５との間には、保持構造１７を形成してある。保持ユニット１５側の保持構造１７はベース板部１９を含み、ベース板部１９部は、固定構造（図示を省略）を介して背表紙部２１ａに取り付けてある。保持ユニット１５の詳細については、後述する。背表紙部２１ａは、それを挟む両側にあり綴じ具１を挟むように開閉する一対の表紙部２１ｂ，２１ｃとともにファイル２１を構成する。ファイル２１の大きさや材質は、綴じようとする被綴じシート（群）３１の大きさや量等に応じて適宜選択するとよい。ベース板部１９は、これを背表紙部２１ａと一体化（何れか一方を省略）することもできる。
【００１９】
（着脱ユニットの具体的構造）
図１乃至５に基づいて説明する。着脱ユニット３は、細長板状の支持板部５と、基端を支持板部５に固定した一対の綴じパイプ７，７と、同じく細長板状の綴じ板部９と、基端を綴じ板部９に固定した一対の綴じ軸１１，１１と、から概ね構成してある。支持板部５は、合成樹脂等により構成することもできるが、本実施形態では、鉄板のような金属により構成してある。１枚の鉄板をプレスにより加工することによって、縁部の一部又は全部を折り起こしたり、切り欠いたりして所望形状の支持板部５を形成してある。支持板部５には、長さ方向に並べた２個の貫通孔６，６を形成してあり、貫通孔６，６は、綴じパイプ７，７の中空部と連通させてある。綴じパイプ７，７の固定も、プレスにより行うのが便利である。綴じパイプ７，７（貫通孔６，６）は、被綴じシート群３１の綴じ孔に対応した位置に設けてあり、また、その先端は綴じ孔に通し易いように斜めカットしてある。綴じパイプ７，７の支持板部５に対する高さ（長さ）は、綴じようとする被綴じシート群の厚さ、或いは、綴じ具１を取り付けようとするファイル２１の形態等に合わせて適宜設定する。なお、符号５ａは、支持板部５の一方の側端に形成した係止用切欠を示している。
【００２０】
符号１３は、一方の綴じパイプ７の先端から支持板部５を抜けて他方の綴じパイプ７の先端に至るスリットを示している。スリット１３は、一方の綴じパイプ７先端を起点とし他方の綴じパイプ７の先端を終点とする連続した略Ｕ字状のスリットであって、その幅寸法は綴じ紐３５を通過可能であって、被綴じシート群３１を綴じるのに差し支えない程度の寸法に設定してある。綴じ紐３５を解放可能とするためである。この点は、後述する。
【００２１】
綴じ板部９は、上述した支持板部５と同じように１枚の鉄板をプレスすることによって、所望の形状を得ることができる。綴じ板部９は、これを、図４に示すように支持板部５と対向させたときに、支持板部５方向に突き出る一対の綴じ軸１１，１１を備えている。綴じ軸１１，１１は、支持板部５から綴じ板部９方向に突き出る綴じパイプ７，７の中に先端から差込可能な太さ（直径）と、最後まで差し込んだときに支持板部５の貫通孔６，６にまで届かない長さに形成してある。綴じ軸１１，１１は、鉄製の棒材であって、その基端をプレスによって綴じ板部９に固定してある。綴じ軸１１，１１各々の先端には、軸側の連結構造を構成するコイルバネ１２を固定してある。図５に示すようにコイルバネ１２は、綴じパイプ７，７の中空部内で移動可能なように中空部外径（綴じパイプ内径）よりも小さい外径Ｄと、所定の内径ｄとを有している。内径ｄは、たとえば、市販の綴じ紐（後述）の綴じ紐先端部（後述）を受入保持可能な寸法に設定する。市販されているファイルに設けられている綴じパイプ７の一般的な内径寸法は、３．８ｍｍ前後であり、同じく綴じ軸１１の一般的な外径寸法は、２．８ｍｍ前後である。一方、綴じ紐３５の先端部外径の一般的な寸法は、２．０ｍｍ前後である。したがって一般的な綴じ軸の外径寸法は、一般的な綴じ紐の外径寸法よりも大きい。図５ではわかりづらいが、上記寸法差を解消して、差し込んだ綴じ紐先端部３６をコイルバネ１２に確実に保持させるために本実施形態では、コイルバネ１２の受入保持する部分の内径寸法を、紐先硬化部（綴じ紐先端部）３６のそれよりも若干小さくなるように設定してある。つまり、コイルバネ１２の内径寸法は、綴じ軸１１側のそれと綴じ紐先端部３６側のそれとを異ならせてある。また、コイルバネ１２の内径寸法を異ならせずに一定とし、コイルバネ１２の綴じ紐先端部３６側内壁に内径寸法を小さくするための内径調整部材（図示を省略）を設けるようにすることもできる。コイルバネ１２各々の長さは、綴じ軸１１，１１各々を最後まで綴じパイプ７，７の中空部内に差し込んだときに、コイルバネ１２各々の先端が貫通孔６，６に臨み支持板部５の面と同一面となるか、僅かに突き出る程度に設定する。そのように設定する理由は、コイルバネ１２，１２が貫通孔６，６よりも中空部内奥過ぎると綴じ紐先端部３６，３６を差し込みにくいこと、及び、支持板部５の面から突き出し過ぎると表紙部２１ｃの閉鎖の邪魔になること、にある。コイルバネ１２は、連結構造の一例であって、合成樹脂製のパイプ部材や、綴じ軸１１，１１の先端部を切り欠いたり先割れ状態に形成したり等した構造を、コイルバネの代わりに用いることを妨げない。なお、符号９ａは、綴じ板部９の一方の側端に形成した係止用切欠を示している。
【００２２】
（保持構造の構成）
図１及び２に基づいて説明する。保持ユニット１５は、前述したように、着脱ユニット３との間に保持構造１７を備え、保持ユニット１５側の保持構造１７はベース板部１９を含んでいる。ベース板部１９は略矩形に形成してあり、対向する一方の辺部１９ａと他方の辺部１９ｂとを備えている。一方の辺部１９ａには一方の取付板２０ａが、他方の辺部１９ｂには他方の取付板２０ｂが、それぞれ起立状態と転倒状態との間で回動自在に取り付けてある。一方の取付板２０ａの上部中央には一方の係止片２０ｃが、他方の取付板２０ｂの上部中央には他方の係止片２０ｄが、それぞれ取り付けてある。一方の係止片２０ｃは支持板部５の係止用切欠５ａと、他方の係止片２０ｄは綴じ板部９の係止用切欠９ａと、それぞれ起立状態のときに係止可能に構成してあり、一方の係止片２０ｃ及び他方の係止片２０ｄをそれぞれ転倒させたときに係止が解除され着脱ユニット３が取り外せるようになっている。すなわち、一方の係止片２０ｃと一方の係止用切欠５ａとにより一方の着脱構造１８ａが、他方の係止片２０ｄと他方の係止用切欠９ａとにより他方の着脱構造１８ｂが、それぞれ構成されている。
【００２３】
（綴じ具の使用方法）
図１乃至５に基づいて説明する。被綴じシート群３１の綴じ込みは、たとえば、他方の係止片２０ｄを操作して綴じ板部９を保持ユニット１５から取り外し、綴じ軸１１，１１を綴じパイプ７，７から引き抜いて先端を露出させた綴じパイプ７，７各々を被綴じシート群３１の綴じ孔（図示を省略）に差し込むことに行う。差し込んだ後は、綴じ軸１１，１１を綴じパイプ７，７に差し込み戻してから保持ユニット１５に戻し、他方の係止片２０ｄを元に戻して係止状態に戻す。このとき、被綴じシート群３１は支持板部５と綴じ板部９との間に綴じられている。支持板部５と綴じ板部９は、保持構造１７の働きにより、綴じパイプ７，７の先端上に保持されている。このようにして綴じた被綴じシート群３１の綴じ替えは次の手順で行う。
【００２４】
まず、一方の係止片２０ｃと他方の係止片２０ｄを転倒させることにより、図１に実線示す状態にある着脱ユニット３を、保持ユニット１５から取り外す。このとき、被綴じシート群３１は保持ユニット１５と一緒である。次に、支持板部５の裏面側から貫通孔６，６を介して綴じ紐先端部（紐先硬化部）３６，３６を差し込む。綴じ紐先端部３６，３６は、綴じ紐３５の両端部に形成してあり、樹脂により硬化させてある。綴じ紐先端部３６，３６は、コイルバネ１２，１２とともに連結構造を構成する。差し込まれた綴じ紐先端部３６，３６は、綴じパイプ７，７の中空部内においてコイルバネ１２，１２に受入保持される。ここで、綴じ板部９を摘んで綴じ軸１１，１１を綴じパイプ７，７から引き出せば、綴じ軸１１，１１に連れられて綴じ紐先端部３６，３６が綴じパイプ７，７の中空部各々から引き出される（図３参照）。引き出された綴じ紐先端部３６，３６を摘んで（綴じ軸１１，１１との連結を引きぬき解除してからでもよい）さらに、引き出すことによって、綴じ紐先端部３６，３６間の綴じ紐３５本体がスリット１３を抜けて解放される。スリット１３から解放された綴じ紐３５本体は被綴じシート群３１の両綴じ孔間に掛かり、このとき、被綴じシート群３１は綴じ紐３５によって吊り下げられた状態になる。この時点で、被綴じシート群３１の綴じ具１からの取り外しを完了する。あとは、綴じ紐先端部３６，３６を摘んで結べば綴じ作業が完了する。このように、綴じ具１による綴じから綴じ紐３５による綴じへの移行をたいへん簡単に行うことができる。
【００２５】
（綴じ具の変形例）
図６及び７に基づいて説明する。綴じ具５１は、略矩形のベース板部５３と、ベース板部５３の一方の辺部５３ａから起立する固定板部５５と、一方の辺部５３ａと対向するベース板部５３の他方の辺部５３ｂにヒンジ（回動構造）５８を介して取り付けた支持板部５７と、支持板部５７に基端を固定した一対の綴じパイプ６１，６１と、綴じパイプ６１，６１各々に対して取り付け取り外し自在に構成した綴じ部材６３と、綴じ部材６３と固定板部５５とをロック可能とするロック構造６９と、から概ね構成してある。ヒンジ５８は、支持板部５７を起立状態（固定板部５５と対向状態）とベース板部５３と略同一平面となる状態（転倒状態）との間で回動可能に構成してあり、バネ５９によって転倒状態となる方向に常時付勢されている。綴じパイプ６１，６１は、支持板部５７を起立させたときに固定板部５５の方向に突出するように支持板部５７に固定してある。ベース板部５３は、ファイル８１の背表紙部８１ａに固定構造（図示を省略）を介して固定してある。背表紙部８１ａの両側に位置する表紙部８１ｂ，８１ｃは、何れも綴じ具５１を挟むようにして開閉可能に構成してある。
【００２６】
綴じ部材６３は、取り付けの際に綴じパイプ６１，６１各々上端から中空部各々に差し込み可能かつ取り外しの際に抜き出し可能な一対の綴じ軸６５，６５と、綴じ軸６５，６５各々の基端を固定した綴じ板部６７と、から構成してある。ロック構造６９は、固定板部５５に対して回動自在に設けた係止片７１と、綴じ板部６７の上端に形成した係止凹部７３と、により構成してあり、前者の回動によって後者と解除可能に係止するように構成してある。以上のとおり構成することにより、綴じ具５１の全構成部材から綴じ部材６３を除いた部材全体が、綴じ軸６５，６５各々を綴じパイプ６１，６１各々に差し込んだ綴じ板部６７を綴じパイプ６１，６１の先端上に保持するための保持構造として機能する。
【００２７】
支持板部５７には、綴じパイプ６１，６１各々の中空部と連通する一対の貫通孔６０，６０を形成してあり、さらに、一方の綴じパイプ６１の先端から支持板部５７を抜けて他方の綴じパイプ６１の先端に至る綴じ紐８５を解放するための略Ｕ字状のスリット６２を形成してある。綴じ軸６５，６５各々の自由端部と貫通孔６０，６０各々を介して綴じパイプ６１，６１各々の中空部内に差し込む綴じ紐先端部（紐先硬化部）８６，８６各々との間には、両者を取り外し可能に連結するための一対のコイルバネ（連結構造）７５を設けてある。コイルバネ７５，７５各々が、綴じ紐８５の綴じ紐先端部８６，８６各々を連結した状態の綴じ軸６５，６５各々を綴じパイプ６１，６１各々から抜き出すことにより綴じ紐先端部８６，８６各々が綴じパイプ６１，６１各々上端から引き出し可能に構成してある。この点は、先に説明した綴じ具１の作用効果と同じである。
【００２８】
綴じ具５１の使用方法は、次のとおりである。図６に示す状態にある係止片７１を転倒させるとロック構造６９のロックが解除され、バネ５９の作用により起立状態にあった支持板部５７が転倒する（図７参照）。支持板部５７が転倒すると綴じパイプ６１，６１が綴じ部材６３とともに支持板部５７に対して起立状態になる。このとき、図７に示すように、綴じ部材６３を上方に引き上げれば、綴じパイプ６１，６１各々の先端が露出して被綴じシート（群）９０の綴じ孔（図示を省略）に差し込むことができる。差し込んだところで、綴じ部材６３を元の位置に戻してから綴じパイプ６１，６１とともに転倒させ、さらに、係止片７１を回動させて係止凹部７３に係止させてロックを行う。これまでが、被綴じシート群９０の綴じ手順である。
【００２９】
次は、綴じ替え手順である。図６に示す状態において、支持板部５７の裏面側から貫通孔６０，６０各々を介して差し込まれた綴じ紐先端部８６，８６各々は、綴じパイプ６１，６１各々の中空部内においてコイルバネ７５，７５各々の働きにより連結される。次に、連結された状態で係止片７１を操作して支持板部５７を回動させ綴じ部材６３を固定板部５５の拘束から解放する。解放された綴じ部材６３の綴じ板部６７を摘んで綴じ軸６５，６５各々を綴じパイプ６１，６１各々から引き出せば、綴じ軸６５，６５各々に連れられて綴じ紐先端部８６，８６各々が綴じパイプ６１，６１各々から引き出される。引き出された綴じ紐先端部８６，８６各々を、さらに、引き出すことによって、綴じ紐先端部８６，８６間の綴じ紐８５本体がスリット６２を抜けて解放される。スリット６２から解放された綴じ紐８５本体は被綴じシート群９０の両綴じ孔間に掛かり、このとき、被綴じシート群９０は綴じ紐８５によって吊り下げられた状態になる。この時点で、被綴じシート群９０の綴じ具５１からの取り外しを完了する。あとは、綴じ紐先端部８６，８６各々を摘んで結べば綴じ作業が完了する。綴じ具１の場合と同様に綴じ具５１による綴じから綴じ紐８５による綴じへの移行がたいへん楽である。
【００３０】
【表１】
2006051802.tif 000003
なお、前述した市販の綴じ紐として、例えば、大阪市東成区に所在地があるコクヨ株式会社の上記表１に示す綴じ紐がある。
【００３１】
【表２】
2006051802.tif 000004
また、東京都中野区に所在地がある株式会社ライオン事務器製の上記表２に示す綴じ紐がある。上述した綴じ紐は、何れも紐先端部が樹脂で固めてあり、本件発明にかかるコイルバネに好適に用いることができる。
【図面の簡単な説明】
【００３２】
【図１】綴じ具を備えるファイルの斜視図である。
【図２】綴じ具の拡大斜視図である。
【図３】着脱ユニットの斜視図である。
【図４】スリットの縦断面を含む着脱ユニットの断面図である。
【図５】図４に示す着脱ユニット断面の部分拡大図である。
【図６】綴じ具の変形例を示す斜視図である。
【図７】綴じ具の変形例を示す斜視図である。
【図８】従来の綴じ具を備えるファイルの斜視図である。
【符号の説明】
【００３３】
１，５１，１０１      綴じ具
３                    着脱ユニット
５                    支持板部
５ａ，９ａ            係止用切欠
６，６０，１０９      貫通孔
７，６１，１０５      綴じパイプ
９，６７，１０８      綴じ板部
１１，６５，１０７      綴じ軸
１２，７５              コイルバネ（連結構造）
１３，６２，１１０      スリット
１５                    保持ユニット
１７                    保持構造
１８ａ                  一方の着脱構造
１８ｂ                  他方の着脱構造
１９，５３，１０２      ベース板部
１９ａ，５３ａ          一方の辺部
１９ｂ，５３ｂ          他方の辺部
２０ａ                  一方の取付板
２０ｂ                  他方の取付板
２０ｃ                  一方の係止片
２０ｄ                  他方の係止片
２１，８１，１１５      ファイル
２１ａ，８１ａ          背表紙部
２１ｂ，２１ｃ，８１ｂ，８１ｃ      表紙部
３１，９０，１１７      被綴じシート群
３５，８５              綴じ紐
３６，８６              綴じ紐先端部（紐先硬化部）
５５，１０３            固定板部
５７，１０４            支持板部
５８                    ヒンジ（回動構造）
５９                    バネ
６３，１０６            綴じ部材
６９                    ロック構造
７１                    係止片
７３                    係止凹部
【図１】
2006051802.tif 000005
【図２】
2006051802.tif 000006
【図３】
2006051802.tif 000007
【図４】
2006051802.tif 000008
【図５】
2006051802.tif 000009
【図６】
2006051802.tif 000010
【図７】
2006051802.tif 000011
【図８】
2006051802.tif 000012